(57)【特許請求の範囲】
【請求項１】
床スラブ上に大引ビームを適当間隔おきに並列配置し、この大引ビームの上に床板体を敷設した床構造体であって、前記大引ビームは、その長さ方向両端が弾性制振座を介して床スラブ上に支持され、この大引ビームの長さ方向の両端間における底面と床スラブとの間には、この大引ビームの底面と床スラブとの間に挟まれる弾性樹脂を備えた帯状制振部が設けられている非干渉型二重床構造体において、
前記帯状制振部は、大引ビームの長さ方向に沿った左右一対のガイドスポンジと、この左右一対のガイドスポンジ間で大引ビームの底面と床スラブとの間に充填された弾性樹脂で構成されている、非干渉型二重床構造体。
【請求項２】
隣り合う大引ビーム間には、両端が大引ビームに対して着脱自在に連結されたサブビームが複数本互いに平行に架設されている、請求項１に記載の非干渉型二重床構造体。
【請求項３】
前記サブビームの両端には下向きのフックが設けられ、大引ビームのサブビーム連結箇所には、その側面から肩にかけて切欠部が設けられ、この切欠部にサブビームのフックが上から下向きに嵌合係止されている、請求項２に記載の非干渉型二重床構造体。
【請求項４】
前記大引ビームの上面と前記床板体との間には、弾性緩衝板が介装されている、請求項１〜３の何れか１項に記載の非干渉型二重床構造体。
【請求項５】
前記大引ビームの上面には、凸面部が大引ビーム長さ方向に沿って形成され、前記弾性緩衝板の下面には、前記大引ビームの凸面部に嵌合する横ずれ防止用の凹面部が形成されている、請求項４に記載の非干渉型二重床構造体。
【発明の詳細な説明】
【技術分野】
【０００１】
本発明は、コンクリート躯体の床スラブ（コンクリートスラブ）と床下構造体と床板体を振動絶縁接合し、しかも床下構造体の高さをコンパクトに低くすることを可能にして、制振性能、遮音性能及び歩行性能を高めた画期的な非干渉型の二重床構造体に関するものである。
【背景技術】
【０００２】
従来、床構造体は、例えば正梁構造のコンクリート躯体を備えた建物では、その床スラブ上に複数の束を立てると共に躯体縁には、大引をアンカー止めし、さらにその大引上に根太をアンカー止めし、根太の上に床板体を敷設するなど一体的に結合した構造となっているため、床板体に加わる振動が、根太と大引と束から床スラブを介して増大し、他の居住空間特に階下の居住空間に大きな振動・騒音となって伝わる。このため床構造体には前記の振動・騒音に対する制振・遮音対策が必要となっている。
【０００３】
このような背景において、床板体から床下構造体を介して他の居住空間に伝わる振動・騒音を低減するため、種々の改良を加えた制振・遮音床下構造の開発が進められてきた。
【０００４】
その開発内容は、次の特許文献１〜特許文献７に記載の例のように、床スラブと前記床板体との間において、床下構造体の内部、前記床下構造体と床板体との間等に、適宜に空間部、空気流通隙間、弾性緩衝板（材）等を配置する等多義に亘っているが、これらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。一方、床上空間はこの床構造体に左右されずに居住のための必要な所要高さの空間を確保しなければならない制約を伴う。これらのことから床スラブ及び床構造体コストの低減が極めて困難なものとなっている。
さらに、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００５】
【特許文献１】特許第４２１９６５３号公報「束石の上に床材を敷設する建物の床改修工法」概要：床スラブ上に束石−木製の大引材−根太材−捨貼り材−フローリング材を順次敷設した床構造体の床改修工法で、束石、大引材、根太材を再利用し、束石上に高調整具と緩衝材を配置し、根太材の上に捨貼り材、フローリング材を敷設した床改修工法。
【特許文献２】特許第２６４６４６９号公報「RC構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体８は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体又はフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と、鉛直躯体部分と、この逆梁上に、大引と根太よりなる床枠を架設し、この床枠上に床板を敷設し、この床板上に床上空間を、又床板下に床下空間をそれぞれ形成してなる建物において、大引を弾性緩衝体を介して嵌着する金物を一対の立設ガイド片で支持し、前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引上に根太を介して床材を支持する。大引の端部及び床材の端部と逆大梁との間に間隙を形成し、大引は弾性変形可能なΣ形鋼にして遮音性を向上させた建築物の床構造。
【発明の概要】
【発明が解決しようとする課題】
【０００６】
本発明は、床スラブと床下構造体と床板体とを振動絶縁係合し、しかも高さの低い組み立て簡易な軽量堅牢な床下構造体にすることにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な非干渉型二重床構造体を提供するものである。
【課題を解決するための手段】
【０００７】
本発明は、上記のような従来の問題点を解消することのできる床構造体を提案するものであって、本発明に係る非干渉型二重床構造体は、床スラブ上に大引ビームを適当間隔おきに並列配置し、この大引ビームの上に床板体を敷設した床構造体であって、前記大引ビームは、その長さ方向両端が弾性制振座を介して床スラブ上に支持され、この大引ビームの長さ方向の両端間における底面と床スラブとの間には、この大引ビームの底面と床スラブとの間に挟まれる弾性樹脂を備えた帯状制振部が設けられている非干渉型二重床構造体において、
前記帯状制振部が、大引ビームの長さ方向に沿った左右一対のガイドスポンジと、この左右一対のガイドスポンジ間で大引ビームの底面と床スラブとの間に充填された弾性樹脂から成る構成となっている。
【００１０】
なお、上記本発明の床構造体を実施する場合、隣り合う大引ビーム間には、両端が大引ビームに対して着脱自在に連結されたサブビームを複数本互いに平行に架設することができる。この場合、前記サブビームの両端には下向きのフックを設け、大引ビームのサブビーム連結箇所には、その側面から肩にかけて切欠部を設け、この切欠部にサブビームのフックを上から下向きに嵌合係止させることができる。
【００１１】
大引ビームとしては、中空角形断面の型材を使用することができる。又、大引ビームには、この大引ビームを横断貫通する空気流通用穴を設けることができる。サブビームとしては、開放端が下向きのコ字形断面のものや中空角形断面のものを使用することができる。又、大引ビームの上面と床板体との間には、弾性緩衝板を介装することができる。この場合、前記大引ビームの上面には、凸面部を大引ビーム長さ方向に沿って形成し、前記弾性緩衝板の下面には、前記大引ビームの凸面部に嵌合する横ずれ防止用の凹面部を形成することができる。
【発明の効果】
【００１２】
本発明の非干渉型二重床構造体は、実施例に具体的な効果を紹介したように、床スラブと床板体との間の床下構造体を床スラブに対して振動絶縁接続部を介して配置し、しかも床下構造体自体を、高さの低い組み立て簡易な軽量堅牢な構造にすることにより、制振性能、遮音性能及び歩行性能を高くし、更に新築建造物では、床スラブを薄くしてコストを大幅に低減可能にし、リフォーム建造物では、既成の床スラブを活かし且つ必須の床上居住空間を確保できる画期的な効果を呈する優れものである。
【図面の簡単な説明】
【００１３】
【図１】図１は、本発明の一実施例を示す一部切欠き斜視図である。
【図２】図２は、図１のＡ部を、片側のサブビームの取付け直前の状態で示す拡大斜視図である。
【図３】図３は、図１のＢ部の拡大斜視図である。
【図４】図４Ａは、大引ビームを横側面側から見た縦断側面図であり、図４Ｂは、図４ＡのＣ部の拡大図である。
【図５】図５は、大引ビームを端面側から見た拡大正面図である。
【図６】図６は、サブビーム連結位置での大引ビームの拡大縦断正面図である。
【発明を実施するための形態】
【００１４】
以下、本発明の実施例を図１〜図６に基づいて詳細に説明する。
本発明に係る非干渉型二重床構造体は、床スラブ１の上に配置の床下構造体２、床板体３、これらの間を振動絶縁する上振動絶縁接続部４、及び下振動絶縁接続部５から構成されている。床板体３は、木製のパーチクルボード（各種ベニヤ合板やチップ圧縮板等の床パネル等）６と、その上に配設した木製の無垢板、化粧合板等のフロ−リング材７から構成されている。
【００１５】
床下構造体２は、大引ビーム８とサブビーム９とを着脱可能に接合してなる。大引ビーム８は、断面形状がほぼ矩形の金属製の中空建材からなるもので、その上面には凸面部１０が大引ビーム長さ方向に沿って形成され、側面には大引ビーム長さ方向に複数の空気流通用穴１１が切欠成形され、さらに側面の肩部にはサブビーム９との接合用の切欠部１２が設けられている。この大引ビーム８は、複数本が互いに平行に床スラブ１の上に配置されているが、その各大引ビーム８の両端は、床スラブ１を支持している要部梁１３の上側に位置している。前記空気流通用穴１１は、円形のものを示しているが、楕円形であっても良いし、三角形、四角形、五角形、六角形等の多角形の穴であっても良い。
【００１６】
サブビーム９は、コ字状断面の金属製建材を下側開放向きに使用したもので、その長さ方向の両端には、左右一対の下向きの接合用のフック１４が一体に形成されている。このサブビーム９は、隣り合う大引ビーム８の側面の上部間に互いに平行に配置され、前記左右一対の下向きの接合用のフック１４を大引ビーム８側の切欠部１２に上から挿入することにより、両端が大引ビーム８に対し着脱可能に連結されている。
【００１７】
上記の大引ビーム８に対するサブビーム９の着脱可能な連結構造によって、前記床下構造体２は、組み立て施工が簡便であるばかりでなく、床下構造体２の高さは、大引ビーム８の高さの範囲内に収まり、高さの低い軽量堅牢な構造体とすることができる。このため新築建造物では、床スラブ１の軽量化とコストを大幅低減が可能になり、リフォーム建造物では、環境対策上、床スラブ１を現状維持可能にして施工できる等の画期的に優れた効果を呈するものである。
【００１８】
床下構造体２と床板体３との間の上振動絶縁接続部４は、防振ゴムからなる弾性緩衝板１５で構成されている。この弾性緩衝板１５の下面には、横ずれ防止用の凹面部１５ａが形成され、この凹面部１５ａが大引ビーム８の上面の凸面部１０に嵌合して接着接合され、この弾性緩衝板１５のフラットな上面１５ｂに床板体３の下面が接着されている。この上振動絶縁接続部４の存在により、大引ビーム８は、載置された床板体３を非干渉的に支持して、床板体３の制振性と歩行性を向上させている。
【００１９】
床下構造体２と床スラブ１との間の下振動絶縁接続部５は、大引ビーム８の長さ方向の両端部の下面に設けた耐圧ゴム製の弾性制振座１６と、この両端の弾性制振座１６間の大引ビーム８の下面全長に設けた帯状シーリング制振部１７とで構成されている。弾性制振座１６は、縦断面が逆π形のもので、その上面の凹部１６ａに調整用ゴム板１６ｂを介して大引ビーム８の端部の下部を嵌入し、下面が床スラブ１に接合される。帯状シーリング制振部１７は、大引ビーム８の底面と床スラブ１との間に、大引ビーム８の長さ方向に沿った２本のガイドスポンジ１８ａ，１８ｂを所定間隔で互いに平行に配設すると共に、その間にシリコン質の弾性樹脂１９を充填して、床スラブ１に接合したものである。
【００２０】
以上の実施例の構成によれば、以下に示す優れた効果を確実に得ることができた。
即ち、上記実施例の非干渉型二重床構造体において、床下構造体２の大引ビーム８は、上振動絶縁接続部４である弾性緩衝板１５を介して、そのフラットな上面１５ｂに載置された床板体３を支持するので、床板体３の敷設施工性を向上させ且つ非干渉的に床板体３を支持して制震性を向上させると共に、大引ビーム８は、その両端が、下振動動絶縁接続部５の耐圧ゴム製の弾性制振座１６を介して床スラブ１に非干渉的に接合され、床下構造体２と床板体３の全荷重を均等に分散負担して吸収緩衝すると共に振動を分散吸収緩衝することができる。
【００２１】
さらに、大引ビーム８の両端間の下面の全長に設けられた帯状シーリング制振部１７により、床板体３から大引ビーム８に伝わる上下左右等の多方向からの揺動を受けても、床スラブ１の不陸に追従して緩衝吸収し、床板体３上での歩行性能を向上させると同時に、床スラブ１への振動や騒音の伝播を遮断することができる。又、帯状シーリング制振部１７を構成するために採用したガイドスポンジ１８ａ，１８ｂは、充填する弾性樹脂１９の重点領域を確定するだけでなく、空気振動を緩衝し、且つ充填した弾性樹脂１９を、粉塵気体や高温空気或いは低温空気から保護して、その劣化を長期にわたって防止するシーリング効果をもたらし、帯状シーリング制振部１７の制振機能と遮音機能を良好に維持するのである。
【００２２】
なお、大引ビーム８の側部に設けられた空気流通用穴１１は、大引ビーム８間の空間を連通開放して振動や騒音及び反響音を低減し、共鳴や増幅を防止する。又、この空気流通用穴１１は、設備配管、空調用の空気口等として活用することもできる。
【００２３】
以上のように、本実施例の非干渉型二重床構造体は、床スラブ１上に床下構造体２と床板体３を、振動の非干渉型に接合して配置したものであり、制振性能、遮音性能及び歩行性能を著しく向上させることができるが、その派生効果を列記すると次のようになる。
○二重床でありながら約138mmからの低床化を実現できる。
○振動を伝える媒体となる束を皆無にして音の伝播を低減できる。
○遮音性能を床スラブ厚に頼ることなく、構造的には必要のないスラブ厚の増加を防ぎ、建物全体の軽量化が図れる。
○躯体工事費は、床スラブを135mmと軽量化した場合、建造物の柱、梁、基礎等も削減でき、躯体コストは均質単板スラブ（厚み150mm、180mm、200mm）やポイドスラブ、アンポイドＰＣスラブとの比較で８〜30％の低減が図れる。
○設備工事費は、設備配線、配管の躯体内への打ち込みを無くして異業種の共同作業を削減できる。
○設備配線、配管の露出配置が可能で、メンテナンスが容易に行え、その労力、時間、費用を軽減し、コスト面の負担を大きく軽減できる。
○躯体と居住床を分離する発想は、メンテナンスや生活環境の変化にも容易に対応することができるため、国土交通省が進めるＳＩ住宅そのものの発想と共通し、長期優良住宅（建設寿命＝躯体寿命）の発想に繋がる。
○以上のことから高耐久性住宅化の実現が可能になり、建物を長く安全に活用でき、ライフサイクルコストの削減に大きく貢献する。
【産業上の利用可能性】
【００２４】
本発明の非干渉型二重床構造体は、正梁構造の床スラブを有する建物の床を二重構造とする場合に、その床の制振性能、遮音性能、歩行性能を高めることができる、施工の簡便な手段として活用できる。
【符号の説明】
【００２５】
１    床スラブ
２    床下構造体
３    床板体
４    上振動絶縁接続部
５    下振動絶縁接続部
６    パーチクルボード
７    フロ−リング材
８    大引ビーム
９    サブビーム
１０    凸面部
１１    空気流通用穴
１２    サブビーム接続用の切欠部
１３    要部梁
１４    フック
１５    弾性緩衝板
１５ａ    凹面部
１６    弾性制振座
１７    帯状シーリング制振部
１８ａ，１８ｂ    ガイドスポンジ
１９    弾性樹脂
【図１】
0005613043.tif 000002
【図２】
0005613043.tif 000003
【図３】
0005613043.tif 000004
【図４】
0005613043.tif 000005
【図５】
0005613043.tif 000006
【図６】
0005613043.tif 000007
【図７】
0005613043.tif 000008
【図８】
0005613043.tif 000009